【手続補正書】
【提出日】平成28年6月15日(2016.6.15)
【手続補正１】
【補正対象書類名】特許請求の範囲
【補正対象項目名】全文
【補正方法】変更
【補正の内容】
【特許請求の範囲】
【請求項１】
ユーザが画角の変更を指示するための第１の操作部と、
画像から被写体を検出する被写体検出手段と、
前記第１の操作部の操作に応じて画角を制御する制御手段とを有し、
前記第１の操作部を介した第１の操作が行われた場合、前記制御手段は、第１のモードを実行し、
前記第１のモードにおいて、前記制御手段は、前記被写体検出手段により検出された被写体が画像内に設定された第１の領域外に含まれる場合、画角を広角側の第１の画角に変更するよう制御するとともに、変更前の画角を第２の画角として記憶し、前記第１の画角において、前記被写体検出手段により検出された被写体が前記第２の画角に対応する領域内に設定された第２の領域内に包含される場合、画角を前記第２の画角に変更するよう制御することを特徴とする制御装置。
【請求項２】
前記第２の領域の大きさは、前記第２の画角に応じて変化することを特徴とする請求項１に記載の制御装置。
【請求項３】
前記第２の領域は、前記第２の画角に対応する領域に対して所定の比率の大きさに設定されることを特徴とする請求項１または２に記載の制御装置。
【請求項４】
前記第１の画角への変更前に取得された画像に対する前記第１の領域の大きさの比率は、前記第１の画角において取得された画像における前記第２の画角に対応する領域に対する前記第２の領域の大きさの比率より大きいことを特徴とする請求項１乃至３のいずれか１項に記載の制御装置。
【請求項５】
前記制御手段は、前記被写体検出手段により検出された被写体のサイズに応じて前記第１の画角を設定することを特徴とする請求項１乃至４のいずれか１項に記載の制御装置。
【請求項６】
前記制御手段は、前記被写体検出手段により検出された被写体のサイズが第１のサイズの場合、当該第１のサイズより大きい第２のサイズの場合と比較して前記第１の画角を望遠側に設定することを特徴とする請求項１乃至５のいずれか１項に記載の制御装置。
【請求項７】
前記第１のモードにおいて、前記制御手段は、前記被写体検出手段により検出された被写体のサイズが所定のサイズより小さい場合、前記第１の画角への変更を行わないよう制御することを特徴とする請求項１乃至６のいずれか１項に記載の制御装置。
【請求項８】
前記第１のモードにおいて、前記被写体検出手段により検出された被写体のサイズが所定倍以上大きく変化した場合、前記制御手段は、画角を前記第１の画角に変更するよう制御することを特徴とする請求項１乃至７のいずれか１項に記載の制御装置。
【請求項９】
前記第１の画角において、前記制御手段は、前記被写体検出手段により検出された被写体のサイズに応じて、記憶されている前記第２の画角を変更することを特徴とする請求項１乃至８のいずれか１項に記載の制御装置。
【請求項１０】
前記第１の画角において、前記制御手段は、前記第１の画角において取得された画像に対する被写体のサイズの比率と前記第１の画角への変更前に取得された画像に対する基準サイズの比率との差が所定量を超える場合、記憶されている前記第２の画角を変更することを特徴とする請求項１乃至９のいずれか１項に記載の制御装置。
【請求項１１】
前記基準サイズは、前記第１の操作に応じて検出された被写体のサイズに基づいて設定されることを特徴とする請求項１０に記載の制御装置。
【請求項１２】
前記制御手段は、前記第１の画角において、前記第２の画角の変更に応じて前記第２の領域を変更することを特徴とする請求項９乃至１１のいずれか１項に記載の制御装置。
【請求項１３】
画像を表示する表示手段を有し、
前記制御手段は、前記第１の画角において、前記画像に重畳して前記第２の画角を示す表示を行うよう前記表示手段を制御することを特徴とする請求項１乃至１２のいずれか１項に記載の制御装置。
【請求項１４】
前記制御手段は、前記第１の操作と異なる操作であって、前記第１の操作部を介した第２の操作に応じて第２のモードを実行し、
前記第２のモードにおいて、前記制御手段は、前記第２の操作に応じて画角を広角側に変更するよう制御するとともに第３の画角を設定し、さらに前記第１の操作部を介した第３の操作に応じて画角を前記第３の画角に変更するよう制御することを特徴とする請求項１乃至１３のいずれか１項に記載の制御装置。
【請求項１５】
画像を表示する表示手段を有し、
前記第２のモードにおいて、前記制御手段は、前記第２の操作に応じて画角を広角側に変更した際、前記画像に重畳して前記第３の画角を示す表示を行うよう前記表示手段を制御することを特徴とする請求項１４に記載の制御装置。
【請求項１６】
前記制御手段は、前記第１の操作部の操作時間に応じて、前記第１の操作と前記第２の操作のいずれかを判定することを特徴とする請求項１４または１５に記載の制御装置。
【請求項１７】
ユーザが画角の変更を指示するための第２の操作部をさらに有し、
前記第１の操作部に対して前記第２の操作が行われてから前記第３の操作が行われるまでの間に前記第２の操作部が操作された場合、前記制御手段は、前記第２の操作部の操作に応じて、前記第３の画角を変更することを特徴とする請求項１４乃至１６のいずれか１項に記載の制御装置。
【請求項１８】
前記制御手段は、焦点距離を変更することにより光学的に画角の変更を制御することを特徴とする請求項１乃至１７のいずれか１項に記載の制御装置。
【請求項１９】
前記制御手段は、電子ズームにより画角の変更を制御することを特徴とする請求項１乃至１８のいずれか１項に記載の制御装置。
【請求項２０】
第１の操作部を介して画角の変更の指示を受け付ける受け付けステップと、
画像から被写体を検出する検出ステップと、
前記第１の操作部の操作に応じて画角を制御する制御ステップとを有し、
前記第１の操作部を介した第１の操作が行われた場合、前記制御ステップにおいて第１のモードを実行し、
前記第１のモードにおいて、前記検出ステップにより検出された被写体が画像内に設定された第１の領域外に含まれる場合、画角を広角側の第１の画角に変更するよう制御するとともに、変更前の画角を第２の画角として記憶し、前記第１の画角において、前記検出ステップにより検出された被写体が前記第２の画角に対応する領域内に設定された第２の領域内に包含される場合、画角を前記第２の画角に変更するよう制御することを特徴とする画角制御方法。
【手続補正２】
【補正対象書類名】明細書
【補正対象項目名】発明の名称
【補正方法】変更
【補正の内容】
【発明の名称】制御装置及び画角制御方法
【手続補正３】
【補正対象書類名】明細書
【補正対象項目名】０００９
【補正方法】変更
【補正の内容】
【０００９】
本発明に係わる制御装置は、ユーザが画角の変更を指示するための第１の操作部と、画像から被写体を検出する被写体検出手段と、前記第１の操作部の操作に応じて画角を制御する制御手段とを有し、前記第１の操作部を介した第１の操作が行われた場合、前記制御手段は、第１のモードを実行し、前記第１のモードにおいて、前記制御手段は、前記被写体検出手段により検出された被写体が画像内に設定された第１の領域外に含まれる場合、画角を広角側の第１の画角に変更するよう制御するとともに、変更前の画角を第２の画角として記憶し、前記第１の画角において、前記被写体検出手段により検出された被写体が前記第２の画角に対応する領域内に設定された第２の領域内に包含される場合、画角を前記第２の画角に変更するよう制御することを特徴とする。
【手続補正４】
【補正対象書類名】明細書
【補正対象項目名】００１０
【補正方法】変更
【補正の内容】
【００１０】
また、本発明に係わる画角制御方法は、第１の操作部を介して画角の変更の指示を受け付ける受け付けステップと、画像から被写体を検出する検出ステップと、前記第１の操作部の操作に応じて画角を制御する制御ステップとを有し、前記第１の操作部を介した第１の操作が行われた場合、前記制御ステップにおいて第１のモードを実行し、前記第１のモードにおいて、前記検出ステップにより検出された被写体が画像内に設定された第１の領域外に含まれる場合、画角を広角側の第１の画角に変更するよう制御するとともに、変更前の画角を第２の画角として記憶し、前記第１の画角において、前記検出ステップにより検出された被写体が前記第２の画角に対応する領域内に設定された第２の領域内に包含される場合、画角を前記第２の画角に変更するよう制御することを特徴とする。
【手続補正５】
【補正対象書類名】明細書
【補正対象項目名】００５７
【補正方法】変更
【補正の内容】
【００５７】
Ｓ２１１では、ＦＡズーム操作スイッチが押下されてから所定時間内に開放されたか否かを判定する。所定時間内にＦＡズーム操作スイッチが開放された場合、自動追尾モードがキャンセルされたとして、ＦＡズーム機能を終了する。一方、所定時間内にスイッチが開放されない場合、Ｓ２０２に進み、手動探索モードが記憶される。すなわち、本実施形態では、自動追尾モード中にＦＡズーム操作スイッチが所定時間以上押下された場合、ＦＡモードを手動探索モードに変更する。
【手続補正６】
【補正対象書類名】明細書
【補正対象項目名】００７７
【補正方法】変更
【補正の内容】
【００７７】
Ｓ６０８では、ＦＡズーム操作スイッチが押下されてから所定時間内に開放されたか否かを判定する。所定時間内にＦＡズーム操作スイッチが開放された場合、自動追尾モードがキャンセルされたとして、ＦＡズーム機能を終了する。一方、所定時間内にスイッチが開放されない場合、図７のＳ２０２に進み、手動探索モードが記憶される。すなわち、本実施形態では、自動追尾モード中にＦＡズーム操作スイッチが所定時間以上押下された場合、ＦＡモードを手動探索モードに変更する。